(57)【要約】  電線の末端を円筒状チューブ上に形成された表面電極に固定する締め付け具は、第１の半円筒状要素を備える。第２の半円筒状要素は、円筒状チューブの周りで締められるようになされている円筒状締め付け具構造を形成するように第１の半円筒状要素に取り付けられるようになっている。円筒状締め付け具構造は、円筒状チューブ上に形成された表面電極に対して電線の末端をしっかりと保持するように構成された内面を備える。【選択図】図１
2015503972.tif 000002
【特許請求の範囲】
【請求項１】
電線の末端を円筒状チューブ上に形成された表面電極に固定する締め付け具であって、第１の半円筒状要素と、
前記円筒状チューブの周りで締められるようになされている円筒状締め付け具構造を形成するように前記第１の半円筒状要素に取り付けられるようになっている第２の半円筒状要素と
を備え、
前記円筒状締め付け具構造が、前記円筒状チューブ上に形成された表面電極に対して電線の末端をしっかりと保持するように構成された内面を備える締め付け具。
【請求項２】
前記円筒状締め付け具構造が、先細り状遠位端部と先細り状近位端部の間に配置された円筒状中央部を備える、請求項１に記載の締め付け具。
【請求項３】
前記先細り状遠位端部および前記先細り状近位端部が、前記円筒状チューブに対して摩擦ばめを形成するように構成される、請求項２に記載の締め付け具。
【請求項４】
前記先細り状遠位端部の遠位端に形成された複数の切欠きをさらに備え、各前記切欠きが、前記円筒状チューブ上の表面電極と揃えられるように構成される
請求項２に記載の締め付け具。
【請求項５】
前記先細り状近位端部の近位端に形成された複数の切欠きをさらに備え、各前記切欠きが、前記円筒状チューブ上の表面電極と揃えられるように構成される
請求項２に記載の締め付け具。
【請求項６】
前記円筒状中央部に形成された複数の穴をさらに備え、各前記穴が、前記円筒状チューブ上の表面電極と揃えられるように構成される
請求項２に記載の締め付け具。
【請求項７】
前記内面が、その中に形成された複数の溝要素を備え、各前記溝要素が、電線の末端を受け入れると共に前記円筒状チューブ上に形成された表面電極に前記電線の前記末端を固定するように構成される、請求項１に記載の締め付け具。
【請求項８】
各前記溝要素が、深い溝と長手方向に揃えられている浅い溝を備える、請求項７に記載の締め付け具。
【請求項９】
前記深い溝が、前記浅い溝より深いと共に幅広い、請求項８に記載の締め付け具。
【請求項１０】
前記第１の半円筒状要素が雌要素であり、前記第２の半円筒状要素が雄要素であり、前記雄要素および前記雌要素を共に取り付けるように前記雌要素に挿入されるように構成されるクリップが前記雄要素から延びる、請求項１に記載の締め付け具。
【請求項１１】
前記円筒状締め付け具構造の前記内面が、気管内チューブの外面上に形成された表面電極に対して電線の末端をしっかりと保持するように構成される、請求項１に記載の締め付け具。
【請求項１２】
前記内面が、前記円筒状チューブ上に形成された表面電極に対して電線の末端を押す規格に適合したＯリングを受け入れるように構成される内部に形成されたＯリングのくぼみを備える、請求項１に記載の締め付け具。
【請求項１３】
外面を有する円筒状チューブと、
前記円筒状チューブの前記外面上に形成された電極と、
前記円筒状チューブの周りで締められるようになされている円筒状締め付け具構造とを備える円筒状機器であって、前記円筒状締め付け具構造が、前記円筒状チューブ上に形成された前記電極のそれぞれ１つに対して電線の末端をしっかりと保持するように構成された内面を備える円筒状機器。
【請求項１４】
前記円筒状締め付け具構造が、先細り状遠位端部と先細り状近位端部の間に配置された円筒状中央部を備える、請求項１３に記載の円筒状機器。
【請求項１５】
前記先細り状遠位端部の遠位端に形成された複数の切欠きをさらに備え、各前記切欠きが、前記円筒状チューブ上の前記電極の１つと揃えられるように構成される
請求項１４に記載の円筒状機器。
【請求項１６】
前記先細り状近位端部の近位端に形成された複数の切欠きをさらに備え、各前記切欠きが、前記円筒状チューブ上の前記電極の１つと揃えられるように構成される
請求項１４に記載の円筒状機器。
【請求項１７】
前記円筒状中央部に形成された複数の穴をさらに備え、各前記穴が、前記円筒状チューブ上の前記電極の１つと揃えられるように構成される
請求項１４に記載の円筒状機器。
【請求項１８】
前記内面が、その中に形成された複数の溝要素を備え、各前記溝要素が、電線の末端を受け入れると共に前記円筒状チューブ上に形成された前記電極の１つに前記電線の前記末端を固定するように構成される、請求項１３に記載の円筒状機器。
【請求項１９】
各前記溝要素が、深い溝と長手方向に揃えられている浅い溝を備え、前記深い溝が、前記浅い溝より深いと共に幅広い、請求項１８に記載の円筒状機器。
【請求項２０】
患者の喉頭部筋肉のＥＭＧ信号をモニタリングする機器であって、
外面を有する気管内チューブと、
前記気管内チューブの前記外面上に形成された導電性電極であって、前記導電性電極は、前記気管内チューブが前記患者の気管に置かれたとき、前記喉頭部筋肉から前記ＥＭＧ信号を受け入れるように構成される導電性電極と、
前記導電性電極にそれぞれ結合されると共に、前記導電性電極により受け取った前記ＥＭＧ信号を処理機器に伝えるように構成される導体と、
前記気管内チューブの周りで締められると共に、前記導体の末端を前記導電性電極と接触状態に保持するように構成される管状の締め付け具と
を備える機器。
【発明の詳細な説明】
【背景技術】
【０００１】
気管内チューブは、ＥＭＧモニタリング装置に接続されているときに手術中の声帯の筋電図（ＥＭＧ）モニタリングを助けるために患者の声帯と接触するように設計されている電極を含む。気管内チューブは、患者の人工呼吸のための気道確保をもたらすと共に、適切なＥＭＧモニタに接続されているときに固有の喉頭部筋肉組織のＥＭＧ活動のモニタリングを可能にする。気管内チューブは、外科的処置中に喉頭部筋肉組織に供給を行う神経の連続的なモニタリングを実現することができる。
【０００２】
気管内チューブでは、典型的には、電線がチューブ上の表面電極で末端をなす。気管内チューブの表面電極での電線を端部処理するには、通常、フレックス回路および電気伝導性エポキシの使用を伴う。しかし、フレックス回路は高価であり、導電性エポキシは、取り扱いが面倒であり、短絡を引き起こす可能性がある。
【発明の概要】
【課題を解決するための手段】
【０００３】
一実施形態は、電線の末端を円筒状チューブ上に形成された表面電極に固定する締め付け具に向けられる。締め付け具は、第１の半円筒状要素を備える。第２の半円筒状要素は、円筒状チューブの周りで締められるようになされている円筒状締め付け具構造を形成するように第１の半円筒状要素に取り付けられるようになっている。円筒状締め付け具構造は、円筒状チューブ上に形成された表面電極に対して電線の末端をしっかりと保持するように構成された内面を備える。
【図面の簡単な説明】
【０００４】
【図１】一実施形態による導電性インク電極をチューブに印刷したＥＭＧ気管内チューブを示す図である。
【図２】一実施形態による図１に示された気管内チューブの一部の拡大図である。
【図３】一実施形態による図１に示された気管内チューブの断面図である。
【図４】一実施形態による相互接続構造の斜視図である。
【図５】一実施形態による図４に示された相互接続構造の側面図である。
【図６】一実施形態による図４に示された相互接続構造の近位端の底面図である。
【図７】一実施形態による図４に示された相互接続構造の雌要素の側面図である。
【図８】一実施形態による図５中の切断線８−８に沿った断面図である。
【図９】一実施形態による図８に示された相互接続構造の断面の斜視図である。
【図１０】一実施形態による図６中の切断線１０−１０に沿った断面斜視図である。
【図１１】別の実施形態による相互接続構造の一部の斜視図である。
【発明を実施するための形態】
【０００５】
図１は、一実施形態による導電性インク電極をチューブに印刷したＥＭＧ気管内チューブ１００を示す図である。図２は、一実施形態による図１に示された気管内チューブ１００の一部の拡大図である。気管内チューブ１００は、単線１０２、取付け具１０４、カフ膨張導管１０６、プラスチック（例えば、ＰＶＣ）チューブ１１０、導電性インク電極１１２、および一次カフ１１４を含む。単線１０２は、相互接続構造１０８によって導電性インク電極１１２に接続される。チューブ１１０は、肺からおよび肺へ気体を輸送する。取付け具１０４は、肺に空気を注入すると共に肺から空気を引き出すための人工呼吸機（図示せず）に接続されるように構成される。カフ膨張導管１０６は、カフ１１４を膨張させるための圧縮空気源（図示せず）に接続されるように構成される。カフ膨張導管１０６は、チューブ１１０の壁１２０内に位置する管腔１２２（図３）と連通すると共に、管腔１２２は、一次カフ１１４と連通する。気管内チューブ１００が患者の気管に挿入された後、導電性インク電極１１２はＥＭＧ信号を感知し、このＥＭＧ信号は単線１０２を介してＥＭＧ処理機械に出力される。
【０００６】
図３は、一実施形態による図１に示された気管内チューブ１００の断面図である。図３に示されるように、管腔１２２は、カフ１１４を膨張させるためにチューブ１１０の壁１２０内に位置する。導電性インク電極１１２は、壁１２０の外面上に形成される。一実施形態では、導電性インク電極１１２は、銀充填ポリマー導電性インクまたは炭素導電性インクをチューブ１１０上に描くまたは印刷することによって形成される。導電性インクには、銀、炭素、金、プラチナ、パラジウム、銀−タングステン、および銀−チタンなどの様々な流動性材料の選択肢がある。導電性インクは、パッド印刷、スクリーン印刷、インクジェット塗布、デジタル印刷、マイクロ開口塗布、塗装、蒸着、およびプラズマスパッタなどの様々な知られた技術を用いて基板上に堆積させることができる。導電性インクは、神経のモニタリングの応用において刺激と記録の両方の目的で使用されることができる。
【０００７】
電極１１２などの表面電極へ電線１０２などの電線を端部処理することは、通常、フレックス回路および導電性エポキシの使用を伴う。しかし、フレックス回路は高価であり、導電性エポキシは、取り扱いが面倒であり、短絡を引き起こす可能性がある。一実施形態では、無はんだの締まりばめ締め付け具が相互接続構造１０８に用いられ、電線１０２の末端は締め付け具１０８の内面とチューブ１１０上に形成された電極１１２の間に挟まれる。締め付け具１０８は、フレックス回路、導電性エポキシ、またははんだ付けを使用することなく電極１１２に対して電線１０２の末端をしっかりと保持する。
【０００８】
図４は、一実施形態による相互接続構造１０８の斜視図である。図示した実施形態では、相互接続構造１０８は、チューブ１１０の周りで締め付けると共に単線１０２の各々１つの末端を導電性インク電極１１２の各々１つに固定する円筒状締め付け具構造である。相互接続構造１０８は、半円筒状雄要素４１２と半円筒状雌要素４３４とを備え、半円筒状雄要素４１２と半円筒状雌要素４３４は、共に接続されて、円筒状締め付け具構造１０８を形成する。締め付け具構造１０８は、遠位端４０２と近位端４２０とを有する。締め付け具構造１０８は、先細り状遠位端部４０８と、先細り状近位端部４１６と、２つの端部４０８と４１６の間に配置された円筒状中央部４１０とを備える。２つの先細り状端部４０８および４１６は、チューブ１１０に対して摩擦ばめまたは圧縮ばめを形成し、それによって構造１０８がチューブ１１０に沿って摺動するのを防ぐように構成される。
【０００９】
雄要素４１２は２つの可撓性クリップ４３６を備え、雌要素４３４は２つの開口４３２を備える。各クリップ４３６は、雌要素４３４における開口４３２のうちのそれぞれ１つに挿入されるように構成される突出部４３０を備え、それによって雄要素４１２および雌要素４３４を共に保持する。
【００１０】
４つの切欠き４０４が、締め付け具１０８の遠位端４０２に形成されている（２つの切欠き４０４は雄要素４１２にあり、２つの切欠き４０４は雌要素４３４にある）。一実施形態では、４つの切欠き４０４は、遠位端４０２の円形周縁の周りにほぼ等しく離間しており、チューブ１１０上の電極１１２の４つのそれぞれのものと長手方向に揃えられるように構成される。切欠き４０４は、電極１１２のための隙間空間を与え、それによって締め付け具１０８の遠位端４０２は、切欠き４０４の間の領域内でチューブ１１０に接触するが、切欠き４０４の位置ではチューブ１１０に接触しないと共に、電極１１２に接触しない。
【００１１】
４つの切欠き４１８が、締め付け具１０８の近位端４２０に形成される（２つの切欠き４１８は雄要素４１２にあり、２つの切欠き４１８は雌要素４３４にある）。一実施形態では、４つの切欠き４１８は、近位端４２０の円形周縁の周りにほぼ等しく離間しており、チューブ１１０上の電極１１２の４つのそれぞれのものと長手方向に揃えられているように構成される。切欠き４１８は、単線１０２のための隙間空間を与え、それによって締め付け具１０８の近位端４２０は、切欠き４１８の間の領域内でチューブ１１０に接触するが、切欠き４１８の位置ではチューブ１１０に接触しないと共に、単線１０２をチューブ１１０に対して締め付けない。
【００１２】
４つの円形穴４０６が、締め付け具１０８の中央部４１０に形成される（２つの穴４０６は雄要素４１２にあり、２つの穴４０６は雌要素４３４にある）と共に、締め付け具１０８の外面４１４から締め付け具１０８の内面４２６へ延びる。一実施形態では、４つの穴４０６は、中央部４１０の周囲の周りにほぼ等しく離間しており、切欠き４０４および４１８のそれぞれ１つと長手方向に揃えられている。
【００１３】
２つの長方形のくぼみ４２８が、中央部４１０の内面４２６に形成される（一方のくぼみ４２８は雄要素４１２にあり、一方のくぼみ４２８は雌要素４３４にある）。２つのくぼみ４２８は、内面４２６上で互いに向き合う（すなわち、くぼみは、内面４２６の周囲の周りで約１８０度だけ離間している）。
【００１４】
４つの長手方向の浅い溝４２２および４つの長手方向の深い溝４２４は、締め付け具１０８の内面４２６に形成される（２つの浅い溝４２２は雄要素４１２にあり、２つの浅い溝４２２は雌要素４３４にあり、および２つの深い溝４２４は雄要素４１２にあり、２つの深い溝４２４は雌要素４３４にある）。浅い溝４２２および深い溝４２４のそれぞれの溝は、互いに長手方向に揃えられており、切欠き４０４および４１８ならびに穴４０６のそれぞれ１つと長手方向に揃えられている。したがって、締め付け具１０８は、４組の長手方向に揃えられた切欠き４０４、穴４０６、切欠き４１８、浅い溝４２２、および深い溝４２４を含む。一実施形態では、４つの浅い溝４２２および４つの深い溝４２４は、内面４２６の周囲の周りにほぼ等しく離間している。各浅い溝４２２は、穴４０６のそれぞれ１つから近位および遠位に長手方向に延びる。各浅い溝４２２は、深い溝４２４のそれぞれ１つの遠位端から遠位端４０２の切欠き４０４のそれぞれ１つまで長手方向に延びる。各深い溝４２４は、浅い溝４２２のそれぞれ１つの近位端から近位端４２０の切欠き４１８のそれぞれ１つまで長手方向に延びる。一実施形態では、深い溝４２４はそれぞれ、浅い溝４２２より約３倍幅広いと共に約３倍深い。
【００１５】
浅い溝４２２および深い溝４２４は、単線１０２の末端を受け入れるように構成され、締め付け具構造１０８がチューブ１１０に取り付けられるときに電極１１２に対して末端を保持する。接着剤は、単線１０２の末端と電極１１２の間のよりしっかりした相互接続をもたらすように穴４０６ならびに切欠き４０４および４１８の１つまたは複数に挿入されてもよい。
【００１６】
図５は、一実施形態による図４に示された相互接続構造１０８の側面図である。図５に示されるように、雄要素４１２の可撓性クリップ４３６は、雌要素４３４における開口４３２に挿入される突出部４３０を備える。別のクリップ４３６は、締め付け具構造１０８の反対側に配置される。クリップ４３６は、雄要素４１２および雌要素４３４を共に保持する。クリップ４３６は、内側に押されて雄要素４１２が雌要素４３４から分離されることを可能にする。
【００１７】
図６は、一実施形態による図４に示された相互接続構造１０８の近位端４２０の底面図である。図６に示されるように、浅い溝４２２の各１つは、深い溝４２４の１つと対をなすと共にそれと長手方向に揃えられている。溝４２２および４２４は、内面４２６の周囲の周りにほぼ等しく離間している。
【００１８】
図７は、一実施形態による図４に示された相互接続構造１０８の雌要素４３４の側面図である。図７に示されるように、雄要素４１２の２つの可撓性クリップ４３６の突出部４３０は、雌要素４３４におけるそれぞれの開口４３２に挿入される。クリップ４３６は、雄要素４１２と雌要素４３４とを共に保持し、内側に押されて雄要素４１２が雌要素４３４から分離されることを可能にすることができる。
【００１９】
図８は、一実施形態による図５中の切断線８−８に沿った断面図である。図８に示されるように、締め付け具構造１０８は、内面４２６の対抗した両側に配置された２つのくぼみ４２８を備える。雄要素４１２にある２つのクリップ４３６は、雌要素４３４の内部に下がって延び、クリップ４３６の突出部４３０は、雌要素４３４におけるそれぞれの開口４３２を通じて外側へ延びる。溝４２２は、内面４２６の周囲の周りにほぼ等しく離間している。
【００２０】
図９は、一実施形態による図８に示された相互接続構造１０８の断面の斜視図である。図９に示されるように、浅い溝４２２は、穴４０６のそれぞれ１つから近位および遠位に長手方向に延びる。浅い溝４２２は、深い溝４２４のそれぞれ１つの遠位端から遠位端４０２の切欠き４０４のそれぞれ１つまで長手方向に延びる。
【００２１】
図１０は、一実施形態による図６中の切断線１０−１０に沿った断面斜視図である。図１０に示されるように、単線１０２のうちの１つの末端５０２は、締め付け具構造１０８内に置かれている。単線１０２の末端５０２は、幅広い近位部分５０４と狭い遠位部分５０６とを備える。深い溝４２４は、末端５０２の幅広い近位部分５０４を受け入れる大きさに形成されている。浅い溝４２２は、末端５０２の狭い遠位部分５０６を受け入れる大きさに形成されている。末端の狭い遠位部分５０６は、内面４２６にある穴４０６を横切って延びる。
【００２２】
図１０に示された実施形態では、合計４つの単線１０２は、４つの異なる組の浅い溝４２２および深い溝４２４において締め付け具構造１０８の中に配置することができる。一実施形態では、雄要素４１２および雌要素４３４は、初めに互いから分離されていて、単線１０２の末端を締め付け具構造１０８内に配置することを可能にする。次いで、雄要素４１２および雌要素４３４は、単線１０２の各末端がチューブ１１０上の電極１１２のそれぞれ１つと揃えられた状態でチューブ５１０に配置される。次いで、雄要素４１２および雌要素４３４は、チューブ１１０上に共に留められる。雄要素４１２および雌要素４３４が、チューブ１１０上に共に留められてしまうと、締め付け具構造１０８が、チューブ１１０上の電極１１２のそれぞれ１つに対して単線１０２の各末端をしっかり保持する。接着剤が、単線１０２の末端と電極１１２の間のよりしっかりした相互接続をもたらすように穴４０６ならびに切欠き４０４および４１８の１つまたは複数に挿入されてもよい。別の実施形態では、雄要素４１２および雌要素４３４は、まず、チューブ１１０上に共に留められ、次いで、電線１０２の末端が切欠き４１８を通じて溝４２２および４２４に挿入される。穴４０６は、使用者がチューブ１１０を見ることを可能にし、使用者が電極１１２が穴４０６と揃えられているときを判定するのを助ける。
【００２３】
図１１は、別の実施形態による相互接続構造の一部１０８−２の斜視図である。図示した実施形態では、相互接続構造１０８−２は、穴４０６が取り除かれると共にＯリングのくぼみ６０２が構造１０８−２に追加されたことを除いて相互接続構造１０８（図４〜図１０）とほぼ同じやり方で構成される。Ｏリングのくぼみ６０２は、規格に適合したＯリング６００を受け入れるように構成される。Ｏリングのくぼみ６０２は、構造１０８−２の内面４２６に形成され、円筒状中央部４１０の内周全体の周りに横方向に延びる。Ｏリングのくぼみ６０２は、溝４２２および４２４に垂直に延び、各浅い溝４２２と交差する。
【００２４】
図示した実施形態では、構造１０８−２とチューブ１１０の間の嵌合は、締まりばめとはならない。相互接続構造１０８−２がチューブ１１０に取り付けられるとき、単線１０２の末端５０２の狭い遠位部分５０６（図１０）は、Ｏリング６００の上で溝４２２内に置かれ、Ｏリング６００は、電極１１２のそれぞれ１つに末端５０２を押し付ける。Ｏリング６００の使用により、より容易な組み立てを促進し、交差要求を緩和する。
【００２５】
一実施形態は、電線の末端を円筒状チューブ上に形成された表面電極に固定する締め付け具に向けられる。締め付け具は、第１の半円筒状要素と、円筒状チューブの周りで締められるようになされている円筒状締め付け具構造を形成するように第１の半円筒状要素に取り付けられるように構成された第２の半円筒状要素とを備える。円筒状締め付け具構造は、円筒状チューブ上に形成された表面電極に対して電線の末端をしっかりと保持するように構成された内面を備える。
【００２６】
一実施形態による円筒状締め付け具構造は、先細り状遠位端部と先細り状近位端部の間に配置された円筒状中央部を備える。先細り状遠位端部および先細り状近位端部は、円筒状チューブに対して摩擦ばめを形成するように構成される。複数の切欠きは、先細り状遠位端部の遠位端に形成され、各切欠きは、円筒状チューブ上の表面電極と揃えられるように構成される。複数の切欠きは、先細り状近位端部の近位端に形成され、各切欠きは、円筒状チューブ上の表面電極と揃えられるように構成される。複数の穴は、円筒状中央部に形成され、各穴は、円筒状チューブ上の表面電極と揃えられるように構成される。
【００２７】
一実施形態では、円筒状締め付け具構造の内面は、その中に形成された複数の溝要素を備え、各溝要素は、電線の末端を受け入れると共に円筒状チューブ上に形成された表面電極に電線の末端を固定するように構成される。一実施形態による各溝要素は、深い溝と長手方向に揃えられている浅い溝を備えており、深い溝は、浅い溝より深いと共に幅広い。
【００２８】
一実施形態では、第１の半円筒状要素は雌要素であり、第２の半円筒状要素は雄要素であり、雄要素および雌要素を共に取り付けるように雌要素に挿入されるように構成されるクリップがそこから延びる。一実施形態による円筒状締め付け具構造の内面は、気管内チューブの外面上に形成された表面電極に対して電線の末端をしっかりと保持するように構成される。一実施形態による円筒状締め付け具構造の内面は、円筒状チューブ上に形成された表面電極に対して電線の末端を押す規格に適合したＯリングを受け入れるように構成される内部に形成されたＯリングのくぼみを備える。
【００２９】
別の実施形態は、円筒状機器に向けられており、この円筒状機器は、外面を有する円筒状チューブを備える。電極は、円筒状チューブの外面上に形成されている。円筒状締め付け具構造は、円筒状チューブの周りで締められるように構成される。円筒状締め付け具構造は、円筒状チューブ上に形成された電極のそれぞれ１つに電線の末端をしっかりと保持するように構成された内面を備える。
【００３０】
一実施形態では、円筒状締め付け具構造は、先細り状遠位端部と先細り状近位端部の間に配置された円筒状中央部を備える。複数の切欠きは、先細り状遠位端部の遠位端に形成され、各切欠きは、円筒状チューブ上の電極の１つと揃えられるように構成される。複数の切欠きは、先細り状近位端部の近位端に形成され、各切欠きは、円筒状チューブ上の電極の１つと揃えられるように構成される。複数の穴は、円筒状中央部に形成され、各穴は、円筒状チューブ上の電極の１つと揃えられるように構成される。
【００３１】
一実施形態では、円筒状締め付け具構造の内面は、その中に形成された複数の溝要素を備え、各溝要素は、電線の末端を受け入れ、円筒状チューブ上に形成された電極の１つに電線の末端を固定するように構成される。一実施形態による各溝要素は、深い溝と長手方向に揃えられている浅い溝を備え、この深い溝は、浅い溝より深いと共に幅広い。一実施形態では、円筒状締め付け具構造は、半円筒状雌要素および半円筒状雄要素を備え、雄要素および雌要素を共に取り付けるように雌要素に挿入されるように構成されるクリップが雄要素から延びる。
【００３２】
さらに別の実施形態は、患者の喉頭部筋肉のＥＭＧ信号をモニタリングする機器に向けられる。この機器は、外面を有する気管内チューブを備える。導電性電極は、気管内チューブの外面上に形成されている。導電性電極は、気管内チューブが患者の気管に置かれたとき、喉頭部筋肉からＥＭＧ信号を受け入れるように構成される。導体は、導電性電極にそれぞれ結合されると共に、導電性電極により受け取ったＥＭＧ信号を処理機器に伝えるように構成される。管状の締め付け具は、気管内チューブの周りで締められると共に、導体の末端を導電性電極との接触状態に保持するように構成される。
【００３３】
各実施形態は、ＥＭＧ気管内チューブの文脈で説明されてきたが、本明細書に開示された技法は、円筒状物体または非平面上に形成された表面電極に電線を接続するのに適用できることが理解されよう。一実施形態は、フレックス回路、導電性エポキシ、およびはんだ付けを使用しない円筒状の面上に形成された（例えば、印刷された）電極に電線を接続する低コストで信頼できる方法を提供する。
【００３４】
本開示は、好ましい実施形態を参照して説明されてきたが、当業者は、本開示の精神および範囲から逸脱することなく、形態および細部に変更がなされてもよいことが理解されよう。
【図１】
2015503972.tif 000003
【図２】
2015503972.tif 000004
【図３】
2015503972.tif 000005
【図４】
2015503972.tif 000006
【図５】
2015503972.tif 000007
【図６】
2015503972.tif 000008
【図７】
2015503972.tif 000009
【図８】
2015503972.tif 000010
【図９】
2015503972.tif 000011
【図１０】
2015503972.tif 000012
【図１１】
2015503972.tif 000013
【国際調査報告】
2015503972.tif 000014
2015503972.tif 000015
2015503972.tif 000016